(57)【特許請求の範囲】
【請求項１】
コヒーレントな光束を出射する光源部と、この光源部から出射された光束を少なくとも２つの光束に分離するビームスプリッタと、このビームスプリッタによって分離された光束のうちの一つを２次元的な情報をもつ情報光に変調する空間光変調器と、上記情報光を伝達するリレーレンズと、上記リレーレンズによって伝達された情報光を記録媒体に向けて出射する対物レンズとを備え、上記リレーレンズは、上記空間光変調器に近い第１のリレーレンズと、この第１のリレーレンズに対して一定距離の位置にあり、かつ上記対物レンズに近い第２のリレーレンズとを含んでおり、上記ビームスプリッタによって分離された光束のうちの他の一つを上記記録媒体において上記情報光と干渉する参照光として用いるホログラフィック記録装置であって、
上記第２のリレーレンズと上記対物レンズとの間の光学的距離を可変としたことを特徴とする、ホログラフィック記録装置。
【請求項２】
上記第１のリレーレンズと上記第２のリレーレンズとの間には、上記第１のリレーレンズから上記第２のリレーレンズに向かう情報光の収束部を通過させる絞りが配置されている、請求項１に記載のホログラフィック記録装置。
【請求項３】
上記第２のリレーレンズと上記対物レンズとの間の物理的距離を可変とした、請求項１または２に記載のホログラフィック記録装置。
【請求項４】
上記第２のリレーレンズと上記対物レンズとの間の上記情報光の進路上に、所定の厚みをもつとともに、屈折率が可変な光学素子を配置した、請求項１または２に記載のホログラフィック記録装置。
【請求項５】
上記光学素子は、印加電圧に応じて屈折率が変化する液晶素子である、請求項４に記載のホログラフィック記録装置。
【請求項６】
上記第２のリレーレンズと上記対物レンズとの間の上記情報光の進路上に、位置によって厚みが異なり、かつ上記情報光の進路と交差する方向に移動可能な透明部材を配置した、請求項１または２に記載のホログラフィック記録装置。
【請求項７】
上記透明部材は、互いに厚みの異なるセグメントが周方向に並んだ略円板状または略ドーナツ円板状をした部材であり、この透明部材に所望の回転位置をとらせることにより、選択したセグメントが上記情報光の進路上に位置するようになっている、請求項６に記載のホログラフィック記録装置。
【発明の詳細な説明】
【技術分野】
【０００１】
本発明は、記録媒体に情報をホログラフィック記録するホログラフィック記録装置に関する。
【背景技術】
【０００２】
ホログラフィック記録では、２次元のページ情報を有する情報光と、その情報光と同一の光束から分離した参照光とを用いて記録媒体上に干渉パターンを発生させ、その干渉パターンを記録する。一方、記録情報の再生は、上記記録媒体の記録済み領域に記録時に用いた参照光を照射し、上記記録媒体からの再生光を２次元ページ光検出器上に結像させる。【０００３】
ホログラフィック記録の利点として、記録媒体上の同一領域に複数の情報を記録する多重記録が可能であることが挙げられる。たとえば、特許文献１にはシフト多重方式によるホログラフィック記録装置について記載されている。このようなホログラフィック記録装置の一般的な構成例を図１１に示す。【０００４】
図１１に示すホログラフィック記録装置Ｘは、記録媒体Ｙへシフト多重方式によって情報を記録し、また、記録した情報を再生する装置である。記録媒体Ｙは、フォトポリマーなどを記録材料とする記録層９９１をガラス板等により構成された基板９９０と反射層９９２とで挟み込んで形成されている。この記録媒体Ｙは、情報光と参照光との干渉パターンを上記記録材料の屈折率の変化として記録することができる。また、記録された干渉パターンに対して参照光のみを照射することで、記録情報に対応する光学情報を抽出することができる。【０００５】
ホログラフィック記録装置Ｘにおいては、光源９０１から出射されたレーザ光は、コリメータレンズ９０２によって平行光とされ、ビームスプリッタ９０３へ入射する。上記レーザ光は、ビームスプリッタ９０３によって、図１１中の下方向へ出射する情報光と、右方向へ出射する参照光とに分離される。上記情報光は、組み合わせレンズからなるビームエキスパンダ９０４ａ，９０４ｂによってそのビーム径が拡大され、空間光変調器９０５へ入射する。上記情報光は、空間光変調器９０５によって、２次元のページ情報を含む光に変調される。空間光変調器９０５から出射された情報光はビームスプリッタ９０６を透過し、対物レンズ９０８へ入射する。さらに、上記情報光は、対物レンズ９０８によって記録層９９１へ集光される。一方、上記参照光は、反射鏡９１０ａ，９１０ｂによって反射され、記録層９９１における上記情報光が照射される部位に照射される。【０００６】
このような情報光と参照光とによって記録層９９１に記録された情報は、記録層９９１へ参照光のみを照射することで再生される。すなわち、上記参照光が記録層９９１に照射されると、上記２次元ページ情報を含む再生光が生じる。この再生光は反射層９９２により、図１１中の上方向へ向けて折り返され、対物レンズ９０８へ入射する。対物レンズ９０８によって平行光となった再生光は、ビームスプリッタ９０６によって図１１中の左方向へ折り曲げられ、フォトディテクタ９１５へ入射する。フォトディテクタ９１５により、上記再生光に含まれる２次元ページ情報は電気信号として抽出される。【０００７】
ホログラフィック記録装置Ｘは、記録位置を微少量ずつずらしながら情報を多重記録するシフト多重方式を採用している。このシフト多重方式においては、記録媒体Ｙに対して参照光を正確に照射しながら記録や再生を行う必要があり、このため、記録媒体Ｙの制御手段として複雑な装置が必要となっていた。また、参照光の入射角度を変えることで多重記録を行う角度多重方式を用いたホログラフィック記録装置においても、参照光を照射するための反射鏡の制御が困難であった。【０００８】
【特許文献１】特開２００５−２３５３１２号公報
【発明の開示】
【発明が解決しようとする課題】
【０００９】
本発明は、このような事情のもとで考え出されたものであって、簡素に実現可能であり、より記録密度を高める多重化方式を備えたホログラフィック記録装置を提供することを課題とする。
【課題を解決するための手段】
【００１０】
本発明により提供されるホログラフィック記録装置は、コヒーレントな光束を出射する光源部と、この光源部から出射された光束を少なくとも２つの光束に分離するビームスプリッタと、このビームスプリッタによって分離された光束のうちの一つを２次元的な情報をもつ情報光に変調する空間光変調器と、上記情報光を伝達するリレーレンズと、上記リレーレンズによって伝達された情報光を記録媒体に向けて出射する対物レンズとを備え、上記リレーレンズは、上記空間光変調器に近い第１のリレーレンズと、この第１のリレーレンズに対して一定距離の位置にあり、かつ上記対物レンズに近い第２のリレーレンズとを含んでおり、上記ビームスプリッタによって分離された光束のうちの他の一つを上記記録媒体において上記情報光と干渉する参照光として用いるホログラフィック記録装置であって、上記第２のリレーレンズと上記対物レンズとの間の光学的距離を可変としたことを特徴としている。【００１１】
好ましくは、上記第１のリレーレンズと上記第２のリレーレンズとの間には、上記第１のリレーレンズから上記第２のリレーレンズに向かう情報光の収束部を通過させる絞りが配置されている。【００１２】
好ましくは、上記第２のリレーレンズと上記対物レンズとの間の物理的距離を可変なように構成されている。【００１３】
好ましくは、上記第２のリレーレンズと上記対物レンズとの間の上記情報光の進路上に、所定の厚みをもつとともに、屈折率が可変な光学素子が配置されている。【００１４】
好ましくは、上記光学素子は、印加電圧に応じて屈折率が変化する液晶素子である。【００１５】
好ましくは、上記第２のリレーレンズと上記対物レンズとの間の上記情報光の進路上に、位置によって厚みが異なり、かつ上記情報光の進路と交差する方向に移動可能な透明部材が配置されている。【００１６】
好ましくは、上記透明部材は、互いに厚みの異なるセグメントが周方向に並んだ略円板状または略ドーナツ円板状をした部材であり、この透明部材に所望の回転位置をとらせることにより、選択したセグメントが上記情報光の進路上に位置するようになっている。【００１７】
本発明のその他の利点および特徴については、以下に行う発明の実施形態の説明から、より明らかとなるであろう。
【図面の簡単な説明】
【００１８】
【図１】本発明に係るホログラフィック記録装置の第１実施形態を示す構成図である。
【図２】図１のホログラフィック記録装置による多重記録の説明図である。
【図３】図１のホログラフィック記録装置による多重記録の説明図である。
【図４】図１のホログラフィック記録装置による多重記録の説明図である。
【図５】図１のホログラフィック記録装置による記録再生時の説明図である。
【図６】図１のホログラフィック記録装置による記録再生時の説明図である。
【図７】本発明に係るホログラフィック記録装置の第２実施形態を示す構成図である。
【図８】本発明に係るホログラフィック記録装置の第３実施形態を示す構成図である。
【図９】本発明に係るホログラフィック記録装置の第４実施形態を示す構成図である。
【図１０】図９における回転平板素子の拡大図である。
【図１１】従来のホログラフィック記録装置の一例を示す構成図である。
【発明を実施するための最良の形態】
【００１９】
以下、本発明の好ましい実施形態について、図面を参照しつつ具体的に説明する。【００２０】
図１は、本発明に係るホログラフィック記録装置の第１実施形態を示している。図１に示すホログラフィック記録装置Ａ１は、記録媒体Ｂ１に情報光と参照光を照射してホログラフィック記録を行う装置である。図１に示すように、ホログラフィック記録装置Ａ１は、光源１と、コリメータレンズ２と、ビームスプリッタ３と、ビームエキスパンダ４ａ，４ｂと、空間光変調器５と、ビームスプリッタ６と、リレーレンズ７ａ，７ｂと、対物レンズ８と、絞り９ａを備えた遮光板９と、反射鏡１０ａ，１０ｂ，１０ｃと、記録用ガルバノミラー１１と、集光レンズ１２ａ，１２ｂと、再生用ガルバノミラー１３と、集光レンズ１４ａ，１４ｂと、フォトディテクタ１５とを備えて構成されている。図示しないその他の構成要素としては、記録媒体Ｂ１を回転ディスクとして回転させるための回転機構や、記録媒体Ｂ１の径方向へ対物レンズ８などの光学系を移動させるための移動機構を備えている。さらに、対物レンズ８および記録媒体Ｂ１を図１中の上下方向へ移動させるための移動機構も備えている。【００２１】
光源１は、たとえば、半導体レーザ光発振装置であり、記録時および再生時に、比較的帯域が狭く干渉性の高いコヒーレント光としてのレーザ光を出射する。コリメータレンズ２は、光源１から出たレーザ光を平行光に変換する。コリメータレンズ２から出射したレーザ光は、ビームスプリッタ３へ導入され、情報光と参照光とに分離される。ビームスプリッタ３で反射され、図１中の下方向へ出射された情報光は、ビームエキスパンダ４ａ，４ｂへ進入する。ビームエキスパンダ４ａ，４ｂは、組み合わせレンズからなり、上記情報光の径を拡大しつつ、当該情報光を空間光変調器５へと導く。また、ビームスプリッタ３を透過し図１中の右方向へ出射された参照光は、反射鏡１０ａ，１０ｂで反射され、記録用ガルバノミラー１１へ向かう。なお、偏光板などを用い、上記情報光と上記参照光が共役となるようにするのが望ましい。【００２２】
空間光変調器５は、たとえば液晶表示装置からなり、記録時に入射した光を２次元的な画素パターンを表す光に変調して出射する。この空間光変調器５によって作り出される画素パターンは、記録すべき情報に応じて変更される。空間光変調器５から出射した情報光は、ビームスプリッタ６を透過してリレーレンズ７ａ，７ｂや対物レンズ８へと導かれ、最終的に記録媒体Ｂ１に照射される。【００２３】
リレーレンズ７ａ，７ｂは、レンズ間の距離が、各レンズの焦点距離の和と等しくなるように情報光の進路上に設置されている。このため、リレーレンズ７ａ，７ｂ間には両レンズの共有の焦点となる位置があり、その位置で上記情報光は一旦集束してからリレーレンズ７ｂへ入射する。上記情報光が一旦集束する位置を絞り９ａとして開口し、その周囲を遮断するように、遮光板９が設置されている。この遮光板９によって、リレーレンズ７ａを通過した光のうち、焦点付近で収束しない光を遮断することができ、リレーレンズ７ｂに余計な光が到達するのを防ぐことができる。このため、リレーレンズ７ｂから出射される情報光は対物レンズ８へほぼ垂直に入射する平行光に近くなる。対物レンズ８と記録媒体Ｂ１の記録部位との距離は対物レンズ８の焦点距離と等しくなるようにするのがよい。このようにすれば、ほぼ平行光となった情報光は、対物レンズ８によって、記録媒体Ｂ１上に集束される。【００２４】
一方、記録用ガルバノミラー１１へ到達した参照光は、集光レンズ１２ａ，１２ｂによって導かれ、記録媒体Ｂ１を図１中の右上方向より照射する。記録用ガルバノミラー１１は、記録時に参照光の入射角を変化させうるように構成されている。この参照光が、記録媒体Ｂ１上の上記情報光によって照射される領域を含む領域を照射できるように、記録用ガルバノミラー１１および集光レンズ１２ａ，１２ｂは配置されている。【００２５】
記録媒体Ｂ１は、フォトポリマーなどを記録材料とする記録層９１をガラス板等により構成された基板９０で図１中の上下から挟み込んで形成されている。記録層９１は上記情報光と上記参照光とによる干渉パターンを屈折率の変化として記録することができる。この記録媒体Ｂ１に記録された情報を再生するには、記録時に用いたのと同じ参照光を照射する必要がある。そのため、再生時には、反射鏡１０ｂを取り外し、反射鏡１０ａで反射した参照光を反射鏡１０ｃへ到達させ、さらに再生用ガルバノミラー１３へ進行させる。再生用ガルバノミラー１３は参照光の入射角を変化させうるように構成されている。再生用ガルバノミラー１３で反射した参照光は、集光レンズ１４ａ，１４ｂに導かれ、記録媒体Ｂ１へ図１中の左下方向から進行する。この際、再生用の参照光の記録媒体Ｂ１への入射角は、記録用の参照光の記録媒体Ｂ１への入射角と等しくなるように、再生用ガルバノミラー１３によって調整されている。【００２６】
記録媒体Ｂ１は上記参照光が照射されると、図１中の上方へ向けて再生光を出射する。この再生光は、図１に示すように対物レンズ８に入射する。さらに、対物レンズ８より平行光として出射され、リレーレンズ７ｂへ入射する。リレーレンズ７ｂを出射し、絞り９ａで集束したのちリレーレンズ７ａへ入射し、平行光としてビームスプリッタ６へと照射される。この再生光は、ビームスプリッタ６で反射し、図１中の左側へ出射され、フォトディテクタ１５へ到達する。このフォトディテクタ１５は、ＣＣＤエリアセンサあるいはＣＭＯＳエリアセンサからなり、再生光によって表される画素パターンに応じた受光信号が得られる。この受光信号に基づいて、記録時の画素パターンに対応する情報が再生される。【００２７】
また、ホログラフィック記録装置Ａ１は、リレーレンズ７ｂと対物レンズ８との間隔を変動可能なように構成されている。ただし、リレーレンズ７ａと７ｂとの間隔や、対物レンズ８と記録媒体Ｂ１との間隔は固定されたままである。すなわち、記録媒体Ｂ１を搭載する回転機構と対物レンズ８とが連結され一体となって図１中の上下方向へ移動可能な構成とするのがよい。また、この回転機構に、両ガルバノミラー１１，１３、集光レンズ１２ａ，１２ｂ，１４ａ，１４ｂ、および反射鏡１０ｂ，１０ｃが連結され、一体となって移動可能としてもよい。【００２８】
あるいは、リレーレンズ７ａ，７ｂおよび遮光板９を一体とし、ビームスプリッタ６と対物レンズ８との間を移動可能とする構成としてもよい。【００２９】
次に、ホログラフィック記録装置Ａ１の作用について説明する。【００３０】
ホログラフィック記録装置Ａ１は、リレーレンズ７ｂと対物レンズ８との間隔を変化させることで多重記録を行うことができる。すなわち、ホログラフィック記録装置Ａ１は、従来の角度多重記録やシフト多重記録に加えて、デフォーカス多重を行うことができる。以下、図２〜６を用い、ホログラフィック記録装置Ａ１のデフォーカス多重について説明する。図２〜６は、空間光変調器５、ビームスプリッタ６、リレーレンズ７ａ，７ｂ、絞り９ａ、対物レンズ８、集光レンズ１２ｂ，１４ｂ、フォトディテクタ１５、および、記録媒体Ｂ１を図示している。また、各図において、空間光変調器５上の３箇所から出射されるレーザ光の進路を示している。なお、空間光変調器５は一般にスリット状であるため、レーザ光が通過する際に、複数の回折光を生じる。絞り９ａにより、それらの回折光の多くは遮断されるが、一部は主となるレーザ光とともに絞り９ａを通過し、記録媒体Ｂ１へ進行する。図２〜６では、そのような回折光も示している。【００３１】
図２は、リレーレンズ７ｂと対物レンズ８との間隔を、リレーレンズ７ｂの焦点距離と対物レンズ８の焦点距離との和よりも長くし、記録媒体Ｂ１へ記録した場合を示している。この場合、図２に示すように、対物レンズ８から出射されるレーザ光の回折光は収束している。【００３２】
図３は、リレーレンズ７ｂと対物レンズ８との間隔を、リレーレンズ７ｂの焦点距離と対物レンズ８の焦点距離との和に等しくして、記録媒体Ｂ１へ記録した場合を示している。この場合、図３に示すように、対物レンズ８から出射されるレーザ光の回折光は主となるレーザ光と平行となっている。【００３３】
図４は、リレーレンズ７ｂと対物レンズ８との間隔を、リレーレンズ７ｂの焦点距離と対物レンズ８の焦点距離との和よりも短くし、記録媒体Ｂ１へ記録した場合を示している。この場合、図４に示すように、対物レンズ８から出射されるレーザ光の回折光は拡散している。【００３４】
図２〜４におけるレーザ光は、リレーレンズ７ｂと対物レンズ８との間隔の違いが原因でそれぞれ収束位置でのコリメーション度合いが異なっている。なお、図２〜４の各記録時において、記録媒体Ｂ１上の記録位置は同じ位置とし、集光レンズ１２ｂから照射される参照光の記録媒体Ｂ１への入射角も同じである。【００３５】
図２〜４における記録を経た記録媒体Ｂ１に参照光を照射すると、図２〜４での各記録に対応して、コリメーション度合いの異なる３種類の再生光が生じる。再生時におけるリレーレンズ７ｂと対物レンズ８との間隔が、リレーレンズ７ｂの焦点距離と対物レンズ８の焦点距離との和に等しい場合について以下に述べる。【００３６】
図２における記録に対応する再生光は、図５に示すように、リレーレンズ７ｂを通過する際に収束せず拡散し、大部分が遮光板９に遮断されるためリレーレンズ７ａに到達しない。図３における記録に対応する再生光は、図３の情報光と同じ経路を通り、ビームスプリッタ６で反射し、フォトディテクタ１５へ入射する。図４における記録に対応する再生光は、図６に示すように、リレーレンズ７ｂを通過する際に拡散し、大部分が遮光板９に遮断されるためリレーレンズ７ａに到達しない。すなわち、記録時と再生時に、リレーレンズ７ｂと対物レンズ８との間隔が一致する場合のみ記録情報を再生可能である。このため、ホログラフィック記録装置Ａ１におけるデフォーカス多重記録においては、クロストークは回避される。【００３７】
以上のように、ホログラフィック記録装置Ａ１は、比較的単純な構成で実現可能なデフォーカス多重記録が実施でき、さらに、角度多重方式やシフト多重方式を併用することで記録密度をさらに高めることができる。また、ホログラフィック記録装置Ａ１においてはクロストークを容易に回避可能である。【００３８】
図７には本発明に係るホログラフィック記録装置の第２実施形態を示している。図７に示すホログラフィック記録装置Ａ２は、記録媒体Ｂ２に情報光と参照光を照射してホログラフィック記録を行う装置である。図７に示すように、ホログラフィック記録装置Ａ２は、光源１と、コリメータレンズ２と、反射鏡２３と、ビームエキスパンダ４ａ，４ｂと、空間光変調器５と、ビームスプリッタ６，２１，２２と、リレーレンズ７ａ，７ｂと、対物レンズ８と、絞り９ａを備えた遮光板９と、反射鏡１０ｄ，１０ｅと、拡散板２４と、フォトディテクタ１５とを備えて構成されている。なお、図７においては、上記第１実施形態と同一または類似の構成要素に同一の符号を付している。このホログラフィック記録装置Ａ２においては、光源１からのレーザ光がビームスプリッタ２１で情報光と参照光とに分離される。情報光の経路はホログラフィック記録装置Ａ１と同様であるが、参照光は反射鏡１０ｄ，１０ｅを経てビームスプリッタ２２によって対物レンズ８に進入するように導かれる。情報光と干渉させるために参照光の位相はある程度ばらついているほうが好ましいので、参照光の進路上に拡散板２４が設置されている。また、ホログラフィック記録装置Ａ２においても、ホログラフィック記録装置Ａ１同様にリレーレンズ７ｂと対物レンズ８との間隔を変動させる機構が設けられている。【００３９】
記録媒体Ｂ２は記録媒体Ｂ１と異なり、フォトポリマーなどを記録材料とする記録層９１をガラス板等により構成された基板９０と反射層９２とで挟み込んで形成されている。記録層９１は記録媒体Ｂ１の場合と同様である。反射層９２は、記録層９１との接触面を鏡面状とした金属層である。【００４０】
このホログラフィック記録装置Ａ２においては、情報光と参照光とを同じ対物レンズから記録媒体Ｂ２へ照射することで記録を行う。また、既に情報が記録された記録媒体Ｂ２に対して参照光のみを照射することで再生を行うことができる。すなわち、記録媒体Ｂ２へ図７中の上方より参照光を照射すると、図７中の下方向へ進行しようとする再生光が生じ、その再生光は反射層９２によって図７中の上方へ戻され、対物レンズ８へ入射する。さらに、対物レンズ８を通過し、平行光となった再生光はビームスプリッタ２２を透過し、リレーレンズ７ａ，７ｂを順次通過する。リレーレンズ７ａから出射した再生光はビームスプリッタ６において図７中の左方向へ折り曲げられ、フォトディテクタ１５へ入射し、再生される。【００４１】
このホログラフィック記録装置Ａ２は、記録時の参照光が情報光と同じ対物レンズを通る構成となっているため、ホログラフィック記録装置Ａ１よりもさらに単純な構造となる。また、ホログラフィック記録装置Ａ２は、デフォーカス多重方式とシフト多重方式を併用することで、ホログラフィック記録装置Ａ１と同様に高密度でクロストークを好適に回避可能な記録を行うことができる。【００４２】
図８には本発明に係るホログラフィック記録装置の第３実施形態を示している。図８に示すホログラフィック記録装置Ａ３は、ホログラフィック記録装置Ａ１の構成に加え、電源３２と導通する液晶素子３１をリレーレンズ７ｂと対物レンズ８との間に挿入した構造をしている。液晶素子３１は、図８中の左右方向に延びる平板上であり、情報光の進路上に配置されている。さらに、液晶素子３１は印加電圧に応じて屈折率が変化する性質を備えている。なお、ホログラフィック記録装置Ａ３の構成はホログラフィック記録装置Ａ１とほぼ同じため、図８には液晶素子３１周辺のみを示している。【００４３】
ホログラフィック記録装置Ａ３において、液晶素子３１に印加する電圧を変化させると、液晶素子３１の屈折率が変化する。液晶素子３１の屈折率が高くなると、液晶素子３１内のリレーレンズ７ｂと対物レンズ８との間の光学的距離は長くなる。一方、液晶素子３１の屈折率が低くなると、液晶素子３１内のリレーレンズ７ｂと対物レンズ８との間の光学的距離は短くなる。すなわち、液晶素子３１の屈折率を変化させることで、リレーレンズ７ｂと対物レンズ８との距離を変化させるのと同様の効果が得られる。このため、ホログラフィック記録装置Ａ３は、リレーレンズ７ｂと対物レンズ８との物理的距離を変化させなくてもホログラフィック記録装置Ａ１同様のデフォーカス多重記録を行うことができる。【００４４】
図９には本発明に係るホログラフィック記録装置の第４実施形態を示している。図９に示すホログラフィック記録装置Ａ４は、ホログラフィック記録装置Ａ１の構成に加え、回転平板素子４１をリレーレンズ７ｂと対物レンズ８との間に挿入した構造をしている。この回転平板素子４１の斜視図を図１０に示す。なお、ホログラフィック記録装置Ａ４の構成はホログラフィック記録装置Ａ１とほぼ同じため、図９には回転平板素子４１周辺のみを示している。【００４５】
図１０に示すように回転平板素子４１は、中心軸４２を中心に互いに厚みの異なるセグメントが周方向に並んだ略円板状の透明部材である。この回転平板素子４１は、所望の回転位置をとらせることにより、選択したセグメントが上記情報光の進路上に位置するようになっている。すなわち、ホログラフィック記録装置Ａ４において、回転平板素子４１を回転させると、リレーレンズ７ｂと対物レンズ８との間の光学的距離が変化する。このため、ホログラフィック記録装置Ａ４は、リレーレンズ７ｂと対物レンズ８との物理的距離を変化させなくてもホログラフィック記録装置Ａ１同様のデフォーカス多重記録を行うことができる。【００４６】
本発明の範囲は上記した実施形態に限定されるものではなく、各請求項に記載した事項の範囲内でのあらゆる変更は本発明の範囲に含まれる。たとえば、ホログラフィック記録装置Ａ３，Ａ４では、ホログラフィック記録装置Ａ１に液晶素子３１あるいは回転平板素子４１を挿入しているが、これらをホログラフィック記録装置Ａ２に挿入してもよい。すなわち、ホログラフィック記録装置Ａ２におけるリレーレンズ７ｂとビームスプリッタ２２との間に、液晶素子３１あるいは回転平板素子４１を配置してもよい。
【図１】
0004745383.tif 000002
【図２】
0004745383.tif 000003
【図３】
0004745383.tif 000004
【図４】
0004745383.tif 000005
【図５】
0004745383.tif 000006
【図６】
0004745383.tif 000007
【図７】
0004745383.tif 000008
【図８】
0004745383.tif 000009
【図９】
0004745383.tif 000010
【図１０】
0004745383.tif 000011
【図１１】
0004745383.tif 000012